(57)【特許請求の範囲】
【請求項１】
プラントの各部位の運転状況を示す複数の運転データに基づいて、診断装置により前記プラントの劣化を診断するプラントの診断方法において、
前記診断装置には、前記複数の運転データに対するしきい値がそれぞれ設定されており、
前記診断装置により前記複数の運転データとこれらの運転データに対応する前記しきい値とをそれぞれ比較して、前記運転データが前記しきい値を超える場合にその運転データを異常予兆有りと判定する異常予兆判定工程と、
前記異常予兆有りと判定された前記運転データが２以上存在するとき、前記異常予兆有りと判定された前記運転データの組み合わせに基づいて前記診断装置により異常が発生した部位を特定する異常部位特定工程とを備え、
前記診断装置には、前記複数の運転データのうち２以上の前記運転データをパラメータとした監視式と、前記監視式で計算された計算値に対するしきい値とがそれぞれ複数設定されており、
前記異常予兆判定工程にて、前記監視式により得られた複数の前記計算値と前記計算値に対応する前記しきい値と比較して、前記計算値が前記しきい値を超える場合にその計算値を異常予兆有りと判定し、
前記異常部位特定工程にて、前記異常予兆有りと判定された前記計算値が２以上存在するとき、前記異常予兆有りと判定された前記計算値の組み合わせに基づいて前記診断装置により異常が発生した部位を特定する異常部位特定工程とを備えることを特徴とするプラントの診断方法。
【請求項２】
前記異常部位特定工程で異常が発生した部位を特定した後、前記特定した部位の劣化状況を含む診断情報を出力手段で出力することを特徴とする請求項１記載のプラントの診断方法。
【請求項３】
プラントの劣化を診断するプラントの診断装置において、
前記プラントの各部位の運転データを計測する複数の計測器と、
前記複数の計測器で計測された前記運転データを収集するデータ収集手段と、
前記データ収集手段から選択された複数の前記運転データが入力される診断装置とを備え、
前記診断装置は、
前記複数の運転データに対するしきい値がそれぞれ設定されており、
前記データ収集手段より入力された前記複数の運転データとこれらの運転データに対応する前記しきい値とをそれぞれ比較して、前記運転データが前記しきい値を超える場合にその運転データを異常予兆有りと判定する異常予兆判定手段と、
前記異常予兆有りと判定された前記運転データが２以上存在するとき、前記異常予兆有りと判定された前記運転データの組み合わせに基づいて異常が発生した部位を特定する異常部位特定手段とを備え、
前記診断装置は、
前記データ収集手段より入力された前記複数の運転データのうち２以上の前記運転データをパラメータとした監視式と、前記監視式で計算された計算値に対するしきい値とがそれぞれ複数設定されており、
前記異常予兆判定手段は、前記監視式により得られた複数の前記計算値と前記計算値に対応する前記しきい値と比較して、前記計算値が前記しきい値を超える場合にその計算値を異常予兆有りと判定する手段であり、
前記異常部位特定手段は、前記異常予兆有りと判定された前記計算値が２以上存在するとき、前記異常予兆有りと判定された前記計算値の組み合わせに基づいて異常が発生した部位を特定する手段であることを特徴とするプラントの診断装置。
【請求項４】
前記異常部位特定手段で特性された部位の劣化状況を含む診断情報を出力する出力手段を備えることを特徴とする請求項３に記載のプラントの診断装置。
【請求項５】
前記データ収集手段で収集された前記運転データが通信回線を介して前記診断装置に入力されることを特徴とする請求項３に記載のプラントの診断装置。
【発明の詳細な説明】
【技術分野】
【０００１】
本発明は、プラントの運転データに基づいてプラントの異常事象を診断するプラントの診断方法及び診断装置に関する。
【背景技術】
【０００２】
従来、発電所や機械設備などのプラントにおいて、プラントの各種運転データに基づいて遠隔からプラントを監視、診断する方法が種々提案、実用化されている。これは、プラントの各部位に設置されたセンサにより運転データを収集し、この運転データに基づいて、プラントの制御室にいる運転員がプラントの各種データを直接監視したり、またはこれらの短期から長期的傾向を示すトレンドデータを分析することで実施されている。
【０００３】
図６に従来のプラント診断装置１００の一例を示す。プラント診断装置１００は、プラントの各機器に設置された各種センサ１０６の計測値が入力される制御コントローラ・データ収集装置１０１を備える。制御コントローラ・データ収集装置１０１は、各種センサ１０６の計測値を収集し、必要に応じてこれらの運転データを分析する。収集された運転データ又は分析データは、データ管理装置１０３に蓄積されるとともに、オペレーションシステム１０２を介してプラント運転員又は保守管理者１０４に提示される。プラント運転員又は保守管理者１０４は、監視マニュアル１０５を用いて、運転データ又は分析データに基づきプラントの異常事象の予測又は発生を見出し、これに応じてプラントの各種アクチュエータ１０７を制御していた。
【０００４】
また、特許文献１（特開２００３−１２２４２９号公報）には、発電プラントの化学管理において、プラントの化学管理に関するデータを収集し、プラント異常事象により変動が予想される化学パラメータを予測し、データの変動を検知する基準値により化学パラメータの変動を検知して予兆診断マトリックスファイルを作成し、プラントデータの変動検知結果ファイル及び予兆診断マトリックスファイルとから所定の評価基準に従ってプラントの異常事象を診断するようにしたプラント異常事象診断装置が開示されている。
【先行技術文献】
【特許文献】
【０００５】
【特許文献１】特開２００３−１２２４２９号公報
【発明の概要】
【発明が解決しようとする課題】
【０００６】
しかしながら、従来のプラント診断装置では、異常事象の判断がプラント運転員又は保守管理者の技量にゆだねられている部分が大きく、その熟練度によって判断が異なることがあった。
特許文献１等のように運転データに基づき異常の兆候を判断することは異常診断に有効な方法であるが、運転データが大きく変動したり、運転データが正常運転範囲から大幅に外れる場合には異常の兆候を検出しやすいが、長期間にわたって徐々にデータ値の変動が生じる場合や、複合的な運転データでしか異常予兆を判断できない場合には、異常の兆候を見落としてしまう可能性があった。
【０００７】
上記の問題が顕在化すると、本来、未然に防止することができたプラント効率の低下やトラブル発生を防止することができず、経済的な損失をこうむる。
したがって、本発明はかかる従来技術の問題に鑑み、プラントの異常事象を正確に把握でき、トラブルを未然に防止することができるプラントの診断方法及び診断装置を提供することを目的とする。
【課題を解決するための手段】
【０００８】
上記の課題を解決するために、本発明に係るプラントの診断方法は、プラントの各部位の運転状況を示す複数の運転データに基づいて、診断装置により前記プラントの劣化を診断するプラントの診断方法において、
前記診断装置には、前記複数の運転データに対するしきい値がそれぞれ設定されており、
前記診断装置により前記複数の運転データとこれらの運転データに対応する前記しきい値とをそれぞれ比較して、前記運転データが前記しきい値を超える場合にその運転データを異常予兆有りと判定する異常予兆判定工程と、
前記異常予兆有りと判定された前記運転データが２以上存在するとき、前記異常予兆有りと判定された前記運転データの組み合わせに基づいて前記診断装置により異常が発生した部位を特定する異常部位特定工程とを備え、
前記診断装置には、前記複数の運転データのうち２以上の前記運転データをパラメータとした監視式と、前記監視式で計算された計算値に対するしきい値とがそれぞれ複数設定されており、
前記異常予兆判定工程にて、前記監視式により得られた複数の前記計算値と前記計算値に対応する前記しきい値と比較して、前記計算値が前記しきい値を超える場合にその計算値を異常予兆有りと判定し、
前記異常部位特定工程にて、前記異常予兆有りと判定された前記計算値が２以上存在するとき、前記異常予兆有りと判定された前記計算値の組み合わせに基づいて前記診断装置により異常が発生した部位を特定する異常部位特定工程とを備えることを特徴とする。
【０００９】
このように、複数の運転データをしきい値と比較し、しきい値を超える運転データが２以上存在するときに、これらの運転データの組み合わせに基づいて異常が発生した部位を特定することにより、単一の運転データのみでは判断できなかった各部位の異常を早期に把握することが可能となる。また、運転データをしきい値と比較して異常を判断することにより、定量的に異常を判断することができるため、技術者の熟練度に関わらず正確に異常を検出することが可能である。
【００１０】
なお、各部位の異常とは、機器の劣化及び性能低下を含み、さらには異常を示唆する異常予兆を含むものである。また、各部位とは、プラントが備える各装置又は各設備、及び各装置又は各設備が有する各機器を含む。
プラントとは、付加価値を生み出す機能を発揮するために組み合わされた複数の装置又は設備からなる複合体である。プラントの例としては、火力発電プラント、原子力発電プラント、石油化学プラント、石油精製プラント、ごみ処理プラント等が挙げられる。前記装置又は設備とは、配管や電気系統等の機器を含み、一つ以上の機能を発揮するものである。
【００１１】
また、前記診断装置には、前記複数の運転データのうち２以上の前記運転データをパラメータとした監視式と、前記監視式で計算された計算値に対するしきい値とがそれぞれ複数設定されており、前記異常予兆判定工程にて、前記監視式により得られた複数の前記計算値と前記計算値に対応する前記しきい値と比較して、前記計算値が前記しきい値を超える場合にその計算値を異常予兆有りと判定し、前記異常部位特定工程にて、前記異常予兆有りと判定された前記計算値が２以上存在するとき、前記異常予兆有りと判定された前記計算値の組み合わせに基づいて前記診断装置により異常が発生した部位を特定する異常部位特定工程とを備えることが好ましい。
【００１２】
このように、２以上の運転データをパラメータとした監視式により得られた計算値としきい値とを比較し、しきい値を超える計算値が２以上存在するときに、これらの計算値の組み合わせに基づいて異常が発生した部位を特定することにより、従来では検出し難かった部位の異常を確実に検出することが可能となる。特に、各機器の運転データを複合的に用いて異常を検出することにより、各装置又は各設備の異常を検出することも可能となる。
【００１３】
さらに、前記異常部位特定工程で異常が発生した部位を特定した後、前記特定した部位の劣化状況を含む診断情報を出力手段で出力することが好ましい。
このように、診断情報を出力することにより、メンテナンスや部品交換等において診断情報を指標とすることができる。
【００１４】
また、本発明に係るプラントの診断装置は、プラントの劣化を診断するプラントの診断装置において、
前記プラントの各部位の運転データを計測する複数の計測器と、
前記複数の計測器で計測された前記運転データを収集するデータ収集手段と、
前記データ収集手段から選択された複数の前記運転データが入力される診断装置とを備え、
前記診断装置は、
前記複数の運転データに対するしきい値がそれぞれ設定されており、
前記データ収集手段より入力された前記複数の運転データとこれらの運転データに対応する前記しきい値とをそれぞれ比較して、前記運転データが前記しきい値を超える場合にその運転データを異常予兆有りと判定する異常予兆判定手段と、
前記異常予兆有りと判定された前記運転データが２以上存在するとき、前記異常予兆有りと判定された前記運転データの組み合わせに基づいて異常が発生した部位を特定する異常部位特定手段とを備え、
前記診断装置は、
前記データ収集手段より入力された前記複数の運転データのうち２以上の前記運転データをパラメータとした監視式と、前記監視式で計算された計算値に対するしきい値とがそれぞれ複数設定されており、
前記異常予兆判定手段は、前記監視式により得られた複数の前記計算値と前記計算値に対応する前記しきい値と比較して、前記計算値が前記しきい値を超える場合にその計算値を異常予兆有りと判定する手段であり、
前記異常部位特定手段は、前記異常予兆有りと判定された前記計算値が２以上存在するとき、前記異常予兆有りと判定された前記計算値の組み合わせに基づいて異常が発生した部位を特定する手段であることを特徴とする。
【００１５】
このように、データ収集手段で収集された大量の運転データから必要な運転データのみを選択して診断装置に入力することにより、診断装置による演算処理を効率よく行なえ、処理の短縮化が図れる。
また、複数の運転データをしきい値と比較し、しきい値を超える運転データが２以上存在するときに、これらの運転データの組み合わせに基づいて異常が発生した部位を特定することにより、単一の運転データのみでは判断できなかった各部位の異常を早期に把握することが可能となる。また、運転データをしきい値と比較して異常を判断することにより、定量的に異常を判断することができるため、技術者の熟練度に関わらず正確に異常を検出することが可能である。
【００１６】
また、前記診断装置は、前記データ収集手段より入力された前記複数の運転データのうち２以上の前記運転データをパラメータとした監視式と、前記監視式で計算された計算値に対するしきい値とがそれぞれ複数設定されており、前記異常予兆判定手段は、前記監視式により得られた複数の前記計算値と前記計算値に対応する前記しきい値と比較して、前記計算値が前記しきい値を超える場合にその計算値を異常予兆有りと判定する手段であり、前記異常部位特定手段は、前記異常予兆有りと判定された前記計算値が２以上存在するとき、前記異常予兆有りと判定された前記計算値の組み合わせに基づいて異常が発生した部位を特定する手段であることが好ましい。
【００１７】
このように、２以上の運転データをパラメータとした監視式により得られた計算値としきい値とを比較し、しきい値を超える計算値が２以上存在するときに、これらの計算値の組み合わせに基づいて異常が発生した部位を特定することにより、従来では検出し難かった部位の異常を確実に検出することが可能となる。特に、各機器の運転データを複合的に用いて異常を検出することにより、各装置又は各設備の異常を検出することも可能となる。
【００１８】
さらに、前記異常部位特定手段で特性された部位の劣化状況を含む診断情報を出力する出力手段を備えることが好ましい。
このように、診断情報を出力することにより、メンテナンスや部品交換等において診断情報を指標とすることができる。
【００１９】
さらにまた、前記データ収集手段で収集された前記運転データが通信回線を介して前記診断装置に入力されることが好ましく、これによりプラントから遠隔地に設置された診断装置にてプラントの劣化状況を把握することが可能となる。また、本発明ではデータ収集手段で収集された大量の運転データから必要な運転データのみを選択して診断装置に入力するようにしているため、必要最小限のデータ送受信にとどめることができ通信回線の負荷を低く抑えることができる。
【発明の効果】
【００２０】
以上記載のように本発明によれば、複数の運転データをしきい値と比較し、しきい値を超える運転データが２以上存在するときに、これらの運転データの組み合わせに基づいて異常が発生した部位を特定することにより、単一の運転データのみでは判断できなかった各部位の異常を早期に把握することが可能となる。また、運転データをしきい値と比較して異常を判断することにより、定量的に異常を判断することができるため、技術者の熟練度に関わらず正確に異常を検出することが可能である。
【図面の簡単な説明】
【００２１】
【図１】本発明の実施形態に係るプラント診断装置の全体構成図である。
【図２】運転データに対するしきい値を説明する図である。
【図３】異常予兆を特定するための表である。
【図４】図３とは別の異常予兆を特定するための表である。
【図５】本発明の実施形態に係るプラント診断方法のフローチャートである。
【図６】従来のプラント診断装置の全体構成図である。
【発明を実施するための形態】
【００２２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２３】
図１は本発明の実施形態に係るプラント診断装置の全体構成図である。
本発明の診断対象となるプラントが設置されるプラント現地１０には、プラント監視装置１３が設置されている。プラント監視装置１３は、プラント（図示略）の各部位に設けられた各種センサ１１からの計測値が入力される制御コントローラ・データ収集手段１４と、制御コントローラ・データ収集手段１４の入力機能やメモリ管理機能等を有するオペレーションシステム１５と、制御コントローラ・データ収集手段１５で収集された運転データ又はこれを分析した分析データを管理するデータ管理手段１６と、制御コントローラ・データ収集手段１５で収集された運転データを送信する送信手段１７を備えている。また、制御コントローラ・データ収集手段１４で収集された運転データ又はこれを分析した分析データに基づいて各種アクチュエータ１２が制御されるようになっている。
【００２４】
なお、プラントとは、付加価値を生み出す機能を発揮するために組み合わされた複数の装置又は設備からなる複合体である。プラントの例としては、火力発電プラント、原子力発電プラント、石油化学プラント、石油精製プラント、ごみ処理プラント等が挙げられる。前記装置又は設備とは、配管や電気系統等の機器を含み、一つ以上の機能を発揮するものである。
各種センサ１１は、プラントの装置又は設備に設置されて、運転状況を計測する。例えば、ダンパの開度、配管を流れる水の流量又は温度、装置内の圧力、モータの電流等を計測する。各種センサ１１と制御コントローラ・データ収集手段１４は、電気配線で接続されており、各種センサ１１で計測された計測値が制御コントローラ・データ収集手段１４に直接入力されることが好ましい
【００２５】
制御コントローラ・データ収集手段１４は、ＣＰＵからなる演算部と、各種演算処理を実現するソフトウェアのプログラムを記録した記憶媒体（図示略）とを備え、必要に応じて、記憶媒体に格納されたプログラムを演算部が読み出し、このプログラムを実行することによって各種演算処理が実現されるようになっている。
制御コントローラ・データ収集手段１４では、各種センサ１１から収集した運転データから、後述するプラント診断装置２１で必要とされる運転データのみを選択し、送信手段１７を介して送信するようになっている。
【００２６】
プラント現地１０の外部に設けられたプラント診断拠点２０には、プラント診断装置２１が設置されている。プラント診断装置２１は、主に、各種演算処理を行う演算手段２２と、演算手段２２で演算された診断結果が格納される診断データベース（診断ＤＢ）２５と、演算手段２２で演算された診断結果を出力する出力手段２６と、制御コントローラ・データ収集手段１４から送信された運転データを受信する受信手段２７とを備える。演算手段２２は、ＣＰＵからなる演算部と、以下に示す異常予兆判定手段２３、異常部位特定手段２４の機能を実現するソフトウェアのプログラムを記録した記憶媒体（図示略）とを備え、必要に応じて、記憶媒体に格納されたプログラムを演算部が読み出し、このプログラムを実行することによって各機能が実現されるようになっている。
【００２７】
受信手段２７は、制御コントローラ・データ収集手段１４で収集された運転データを、通信回線３０を介して受信する。すなわち、プラント診断装置２１における運転データの入力手段である。通信回線３０は、インターネット等の公衆回線又は専用回線を含む。
なお、ここでは運転データが通信回線３０を介してプラント診断装置２１に入力される構成としたが、これに限定されるものではなく、記録媒体を介して入力されるようにしてもよいし、作業員により直接運転データが入力されるようにしてもよい。
【００２８】
演算手段２２は、異常予兆判定手段２３と異常部位特定手段２４とを備えている。
また、演算手段２２には、複数の運転データに対応したしきい値がそれぞれ設定されている。例えば、図２に示すように、運転に最も適した基準値に対して上限又は下限の少なくとも一方からなるしきい値が設定されている。図２では上限しきい値と下限しきい値の両方が設定された場合を示している。また、しきい値は、運転負荷に対応して設定されていることが好ましい。
【００２９】
異常予兆判定手段２３は、受信装置２７で受信した運転データと、この運転データに対応したしきい値とを比較し、運転データがしきい値を超える場合にはこの運転データが異常予兆有りと判定する。
異常部位特定手段２４は、異常予兆判定手段２３で異常予兆有りと判定された運転データが２以上存在するとき、異常予兆有りと判定された運転データの組み合わせに基づいて異常が発生した部位を特定する。
【００３０】
例えば、異常部位特定手段２４は図３に示すような表を有している。図３の表において、○○部位の異常予兆を行なうときは、データ１とデータ２とデータＸとの組み合わせによって行なう。同様に、××部位の異常予兆を行なうときは、データ２とデータＸとデータＹによって行なう。このように、各部位において、異常予兆を行なうのに必要な運転データが予め複数設定されている。なお、不要なデータの欄には横線を引いている。
各運転データに対して、図２に示すグラフを用いてしきい値を超えるか否かを判定し、しきい値を超える場合には該当する欄に×が入力される。運転データがしきい値を超えておらず、許容範囲以内の場合には該当する欄に○が入力される。
各部位において、異常予兆を行なうのに必要な運転データが全て×で埋められたとき、この部位は異常の予兆があると判定する。
【００３１】
このように、複数の運転データをしきい値と比較し、しきい値を超える運転データが２以上存在するときに、これらの運転データの組み合わせに基づいて異常が発生した部位を特定することにより、単一の運転データのみでは判断できなかった各部位の異常を早期に把握することが可能となる。また、運転データをしきい値と比較して異常を判断することにより、定量的に異常を判断することができるため、技術者の熟練度に関わらず正確に異常を検出することが可能である。
【００３２】
また、異常部位を特定する別の方法として、２以上の運転データをパラメータとした監視式と、この監視式で計算された計算値に対するしきい値とを用いて異常部位を特定するようにしてもよい。
監視式は、例えば下記式のように設定される。
監視式＝［データ１］×（［データＸ］−［データＹ］）／２
この監視式の計算値に対してしきい値を設定する。例えば、計算値のしきい値を２．０とした場合、計算値が０〜２．０であるときは正常と判定し、計算値が２．０を超えるときは異常予兆有りと判定する。
【００３３】
図４に示す表において、監視式１の計算値がしきい値を超える場合には×が入力され、許容範囲内である場合には○が入力される。図３と同様に、各部位において、異常予兆を行なうのに必要な監視式が予め複数設定されている。異常予兆を行なうのに必要な監視式が全て×で埋められたとき、この部位は異常の予兆があると判定する。
このように、２以上の運転データをパラメータとした監視式により得られた計算値としきい値とを比較し、しきい値を超える計算値が２以上存在するときに、これらの計算値の組み合わせに基づいて異常が発生した部位を特定することにより、従来では検出し難かった部位の異常を確実に検出することが可能となる。特に、各機器の運転データを複合的に用いて異常を検出することにより、各装置又は各設備の異常を検出することも可能となる。
【００３４】
次に、図５を参照して、本発明の実施形態に係るプラント診断方法を説明する。
まず、プラント現地１０において、各種センサ１１で計測された運転データを制御コントローラ・データ収集手段１４にて収集する（Ｓ１）。一例として、ボイラ本体と、エアヒータ、通風ファン、スーツブロア、原料粉砕ミル等のボイラ補機と、ガスタービン本体と、蒸気タービン本体と、給水ポンプ、循環水ポンプ、復水器等の水系統装置と、集塵装置、脱硫装置、脱硝装置等の排煙処理装置とを有する火力発電プラントの異常や長期劣化を診断する場合は、それぞれの機器に設置されたセンサ１１により計測された運転データを制御コントローラ・データ収集手段１４にて収集する。
制御コントローラ・データ収集手段１４では、これらの運転データをデータ管理手段１６に格納するとともに、オペレーションシステム１５を介して運転者に提示する。また、制御コントローラ・データ収集手段１４は、プラント診断装置２１でプラントの異常診断に必要とされる複数の運転データを選択し、送信手段１７により送信する。
【００３５】
プラント診断拠点２０では、プラント診断装置２１の受信手段２７にて、送信手段１７で送信された複数の運転データを、通信回線３０を介して受信し、演算手段２２に入力する（Ｓ２）。演算手段２２の異常予兆判定手段２３にて、複数の運転データと、図２に示すようにこれらの運転データに対応したしきい値とをそれぞれ比較し（Ｓ３）、運転データがしきい値を超えるか否かを判断し（Ｓ４）、しきい値を超える運転データを異常予兆有りと判定する。
【００３６】
異常予兆有りと判定された運転データが存在しないとき、又はその運転データが２未満であるときは、診断ＤＢ２５に、異常予兆無しの診断情報を格納し（Ｓ５）、出力手段２６により診断情報を出力する（Ｓ６）。
異常予兆有りと判定された運転データが２以上存在するとき、図３又は図４に示すように、異常予兆有りと判定されたデータの組み合わせに基づいて異常部位を特定する（Ｓ７）。そして、診断ＤＢ２５に、異常部位とその状況を含む診断情報を格納し（Ｓ８）、出力手段２６により診断情報を出力する（Ｓ９）。例えば、上記した火力発電プラントの場合、原料粉砕ミルで計測される運転データは、ダンパ開度、一次空気流量、一次空気温度、一次空気圧力、下部室圧力、上部室圧力、外郭温度、主モータ電流、回転分離器速度等であり、これらのうち一次空気圧力、外郭温度、主モータ電流、回転分離器速度の４項目において異常予兆有りと判定された場合に、異常部位が原料粉砕ミルのある特定部位に発生したと診断し、この診断情報を出力する。なお、診断に用いられる運転データは、プラント内に配置された異なる２以上の装置又は設備（例えば、ボイラ本体と水系統装置など）から得られる運転データであってもよい。火力発電プラントを診断対象とした場合、複数の運転データを用いて診断することにより、例えばプラント全体の発電効率、ボイラ効率、タービン効率、又は排煙処理効率等の性能を診断することができる。
【００３７】
このように本実施形態によれば、複数の運転データをしきい値と比較し、しきい値を超える運転データが２以上存在するときに、これらの運転データの組み合わせに基づいて異常が発生した部位を特定することにより、単一の運転データのみでは判断できなかった各部位の異常を早期に把握することが可能となる。また、運転データをしきい値と比較して異常を判断することにより、定量的に異常を判断することができるため、技術者の熟練度に関わらず正確に異常を検出することが可能である。
【符号の説明】
【００３８】
１０    プラント現地
１１    各種センサ
１２    各種アクチュエータ
１３    プラント監視装置
１４    制御コントローラ・データ収集手段
１５    データ管理手段
１６    オペレーションシステム
１７    受信手段
２０    プラント診断拠点
２１    プラント診断装置
２２    演算手段
２３    異常予兆判定手段
２４    異常部位特定手段
２５    診断データベース（診断ＤＢ）
２６    出力手段
２７    受信手段
【図１】
0005461136.tif 000002
【図２】
0005461136.tif 000003
【図３】
0005461136.tif 000004
【図４】
0005461136.tif 000005
【図５】
0005461136.tif 000006
【図６】
0005461136.tif 000007